(57)【要約】【課題】太陽電池モジュールを屋根に固定することができ、且つ太陽電池モジュールの取替えに便利であるソーラーモジュール取付フレームの提供。【解決手段】複数の屋根材５を係止して結合する屋根構造に用いられるソーラーモジュール取付フレームであって、桁行方向に沿って、屋根材５の幅の２倍以上の整数倍に延伸する上枠４１と、上枠４１の一端縁側の端部から上枠４１と直交するように延伸する第１の縦枠４２と、第１の縦枠４２と平行となるように上枠４１から延伸する少なくとも１つの第２の縦枠４４と、上枠４１と略一致する長さに延伸し、第１の縦枠４２と第２の縦枠４４とがそれぞれ延伸する先端において取外すことができるように取り付けられている下枠４５と、を有することによって、ソーラーモジュール７を上枠４１と第１の縦枠４２と下枠４５との間に保持することができる取付フレームを提供する。【選択図】図３
0003191686.tif 000002
【実用新案登録請求の範囲】
【請求項１】
桁行方向の一端縁に取付け板部を有すると共に、上端縁に係止フックが前記取付け板部と所定の間隔を空けて突出するように形成されている屋根材が複数用いられ、前記取付け板部によって複数の前記屋根材が前記桁行方向に沿って互いに組み合わせられて一列をなし、且つ該一列の前記複数の屋根材がそれぞれ前記係止フックで上側にある他の一列の前記複数の屋根材がそれぞれ有する前記取付け板部を係止して結合する屋根構造に用いられるソーラーモジュール取付フレームであって、
前記桁行方向に沿って、前記屋根材の前記桁行方向における幅の２倍以上の整数倍に延伸すると共に、前記一端縁側の端部から前記所定の間隔を空けて突出する固定フックが配置されている上枠と、
前記上枠の前記一端縁側の端部から前記上枠と直交するように延伸する第１の縦枠と、
前記第１の縦枠から前記屋根材の前記桁行方向における幅の整数倍の間隔を空けて、前記第１の縦枠と平行となるように前記上枠から延伸する少なくとも１つの第２の縦枠と、
前記桁行方向に沿って、前記上枠と略一致する長さに延伸し、前記第１の縦枠と前記第２の縦枠とがそれぞれ延伸する先端において取外すことができるように取り付けられている下枠と、
を有することによって、ソーラーモジュールを前記上枠と前記第１の縦枠と前記下枠との間に保持することができる上、
前記第１の縦枠が下の列にある屋根材が有する前記係止フックによって係止されると共に、前記上枠に形成されている前記固定フックで上の列にある屋根材が有する前記取付け板部を係止するように、前記屋根構造に組み込まれることができるソーラーモジュール取付フレーム。
【請求項２】
前記上枠は表面と裏面とを有するように板状に形成された上枠本体と、前記上枠本体の桁行方向の両端からそれぞれ伸び出すように形成される接続部と、前記上枠本体の前記下枠に臨む下端縁において前記下枠に向かって開口するように形成されている第１の収容溝と、を有し、
前記固定フックは、前記上枠本体の前記下端縁の反対側にある上端縁において前記表面側へ突出するように配置されていることを特徴とする請求項１に記載のソーラーモジュール取付フレーム。
【請求項３】
前記上枠の前記一端縁側の反対側にある端部から前記上枠と直交するように延伸する第３の縦枠を更に有し、
前記第１の縦枠の前記第３の縦枠に臨む端縁には、前記第３の縦枠に向かって開口し、前記上枠の前記接続部を受入れることができる第２の収容溝が形成されており、
前記第３の縦枠の前記第１の縦枠に臨む端縁には、前記第１の縦枠に向かって開口し、前記上枠の前記接続部を受入れることができる第３の収容溝が形成されており、
前記下枠の前記上枠に臨む端縁には、前記上枠に向かって開口する第４の収容溝が形成されており、
前記第１、第２、第３、第４の収容溝でソーラーモジュールの周縁を受入れて保持することができることを特徴とする請求項２に記載のソーラーモジュール取付フレーム。
【請求項４】
前記下枠は、
前記下枠を挿通して前記第１の縦枠が延伸する先端にねじ込まれる第１の固定ネジと、
前記下枠を挿通して各前記第２の縦枠がそれぞれ延伸する先端にねじ込まれる第２の固定ネジと、
前記下枠を挿通して前記第３の縦枠が延伸する先端にねじ込まれる第３の固定ネジと、によって前記第１、第２、第３の縦枠に取外すことができるように取り付けられていることを特徴とする請求項３に記載のソーラーモジュール取付フレーム。
【請求項５】
前記第１の縦枠及び前記第２の縦枠には、下の列にある屋根材が有する前記係止フックとそれぞれ嵌め合うことができる第１、第２の係止エリアがそれぞれ更に形成されており、
更に、前記固定フックは前記係止フックと一致する寸法を有するように形成され、前記第１の縦枠及び前記第２の縦枠に形成されている前記第１、第２の係止エリアと嵌め合うことができることを特徴とする請求項１〜請求項４のいずれか１項に記載のソーラーモジュール取付フレーム。
【請求項６】
前記第１の縦枠には前記一端縁側へ突出する延伸板が更に形成され、前記延伸板の上面には、前記第１の縦枠と平行となるように延伸する排水溝が形成されていることを特徴とする請求項１〜請求項５のいずれか１項に記載のソーラーモジュール取付フレーム。
【考案の詳細な説明】
【技術分野】
【０００１】
本考案はソーラーモジュール取付フレームに関し、特に、複数の太陽電池で構成されるソーラーモジュールを屋根に取付けることができるソーラーモジュール取付フレームに関する。
【背景技術】
【０００２】
複数の太陽電池で構成されるソーラーモジュールを屋根に取付けるソーラーモジュール取付フレームについては、例えば特許文献１や特許文献２に記載されるものが挙げられる。
【０００３】
図１は特許文献１に記載のソーラーモジュール取付フレームの構成が示されている説明図であり、図示のように該取付フレームは、他の屋根材と共に屋根に並べられることができる第１の枠部１１と、第１の枠部１１に取付けられることができると共に、ソーラーモジュール１３を保持する第２の枠部１２と、を備えているが、ソーラーモジュール１３は第２の枠部１２に接着されるので、ソーラーモジュール１３を取り替える際、第２の枠部１２を第１の枠部１１から取りはずさなければならず、不便である。
【０００４】
図２は特許文献２に記載のソーラーモジュール取付フレームの構成が示されている説明図であり、図示のように、該取付フレームは、屋根瓦３の上に固定された連結金具２を介して屋根瓦３と太陽電池モジュール２０とを係合させるものであり、連結金具２の基板部２１より立ち上がるモジュール受け部２２で一対の支持枠２３を支持し、太陽電池モジュール２０は一対の支持枠２３の間にスライド可能に支持されている。この構成において、一対の支持枠２３の間に支持されている複数枚の太陽電池モジュール２０の中の１枚のみを取り替える際、他の太陽電池モジュール２０もスライドさせて支持枠２３から取り外さなければならず、やはり不便である。
【先行技術文献】
【特許文献】
【０００５】
【特許文献１】独国特許出願公開第１９９２１０４４１号明細書
【特許文献２】特開２０１２−１２７１５３号公報
【考案の概要】
【考案が解決しようとする課題】
【０００６】
上記問題点に鑑みて、本考案は太陽電池モジュールを屋根に固定することができ、且つ太陽電池モジュールの取替えに便利であるソーラーモジュール取付フレームの提供を目的とする。
【課題を解決するための手段】
【０００７】
上記目的を達成すべく、本考案は、桁行方向の一端縁に取付け板部を有すると共に、上端縁に係止フックが前記取付け板部と所定の間隔を空けて突出するように形成されている屋根材が複数用いられ、前記取付け板部によって複数の前記屋根材が前記桁行方向に沿って互いに組み合わせられて一列をなし、且つ該一列の前記複数の屋根材がそれぞれ前記係止フックで上側にある他の一列の前記複数の屋根材がそれぞれ有する前記取付け板部を係止して結合する屋根構造に用いられるソーラーモジュール取付フレームであって、前記桁行方向に沿って、前記屋根材の前記桁行方向における幅の２倍以上の整数倍に延伸すると共に、前記一端縁側の端部から前記所定の間隔を空けて突出する固定フックが配置されている上枠と、前記上枠の前記一端縁側の端部から前記上枠と直交するように延伸する第１の縦枠と、前記第１の縦枠から前記屋根材の前記桁行方向における幅の整数倍の間隔を空けて、前記第１の縦枠と平行となるように前記上枠から延伸する少なくとも１つの第２の縦枠と、前記桁行方向に沿って、前記上枠と略一致する長さに延伸し、前記第１の縦枠と前記第２の縦枠とがそれぞれ延伸する先端において取外すことができるように取り付けられている下枠と、を有することによって、ソーラーモジュールを前記上枠と前記第１の縦枠と前記下枠との間に保持することができるソーラーモジュール取付フレームの提供を目的とする。
【０００８】
上記ソーラーモジュール取付フレームにおいて、前記上枠は表面と裏面とを有するように板状に形成された上枠本体と、前記上枠本体の桁行方向の両端からそれぞれ伸び出すように形成される接続部と、前記上枠本体の前記下枠に臨む下端縁において前記下枠に向かって開口するように形成されている第１の収容溝と、を有し、前記固定フックは、前記上枠本体の前記下端縁の反対側にある上端縁において前記表面側へ突出するように配置されていることが好ましい。
【０００９】
上記ソーラーモジュール取付フレームにおいて、前記上枠の前記一端縁側の反対側にある端部から前記上枠と直交するように延伸する第３の縦枠を更に有し、前記第１の縦枠の前記第３の縦枠に臨む端縁には、前記第３の縦枠に向かって開口し、前記上枠の前記接続部を受入れることができる第２の収容溝が形成されており、前記第３の縦枠の前記第１の縦枠に臨む端縁には、前記第１の縦枠に向かって開口し、前記上枠の前記接続部を受入れることができる第３の収容溝が形成されており、前記下枠の前記上枠に臨む端縁には、前記上枠に向かって開口する第４の収容溝が形成されており、前記第１、第２、第３、第４の収容溝でソーラーモジュールの周縁を受入れて保持することができるように構成されることが好ましい。
【００１０】
上記ソーラーモジュール取付フレームにおいて、前記下枠は、前記下枠を挿通して前記第１の縦枠が延伸する先端にねじ込まれる第１の固定ネジと、前記下枠を挿通して各前記第２の縦枠がそれぞれ延伸する先端にねじ込まれる第２の固定ネジと、前記下枠を挿通して前記第３の縦枠が延伸する先端にねじ込まれる第３の固定ネジと、によって前記第１、第２、第３の縦枠に取外すことができるように取り付けられていることが好ましい。
【００１１】
上記ソーラーモジュール取付フレームにおいて、前記第１の縦枠及び前記第２の縦枠には、前記屋根材が有する前記係止フックとそれぞれ嵌め合うことができる第１、第２の係止エリアがそれぞれ更に形成されており、更に、前記固定フックは前記係止フックと一致する寸法を有するように形成され、前記第１の縦枠及び前記第２の縦枠に形成されている前記第１、第２の係止エリアと嵌め合うことができるように構成されることが好ましい。
【００１２】
上記ソーラーモジュール取付フレームにおいて、前記第１の縦枠には前記一端縁側へ突出する延伸板が更に形成され、前記延伸板の上面には、前記第１の縦枠と平行となるように延伸する排水溝が形成されていることが好ましい。
【考案の効果】
【００１３】
上記構成によれば、本考案のソーラーモジュール取付フレームは、桁行方向に沿って、屋根材の桁行方向における幅の２倍以上の整数倍に延伸する上枠と、上枠の一端縁側の端部から上枠と直交するように延伸する第１の縦枠と、第１の縦枠から屋根材の桁行方向における幅の整数倍の間隔を空けて、第１の縦枠と平行となるように上枠から延伸する少なくとも１つの第２の縦枠と、桁行方向に沿って、上枠と略一致する長さに延伸し、第１の縦枠と第２の縦枠とがそれぞれ延伸する先端において取外すことができるように取り付けられている下枠と、を用いて、ソーラーモジュールを上枠と第１の縦枠と下枠との間に保持することができるので、下枠を取り外せば上枠と第１の縦枠と下枠との間に保持されるソーラーモジュールを任意に取り出すことができるので、取付フレーム全体の取外しや余分なソーラーモジュールの取外しを行う必要がなく、ソーラーモジュールの取替えに従来よりも便利であるソーラーモジュール取付フレームを提供することができる。
【図面の簡単な説明】
【００１４】
【図１】従来のソーラーモジュール取付フレームの一例の構成が示される説明図である。
【図２】従来のソーラーモジュール取付フレームの他の一例の構成が示される説明図である。
【図３】本考案の該ソーラーモジュール取付フレーム及び該ソーラーモジュール取付フレームと組み合わせられる屋根材が示されている分解図である。
【図４】複数のソーラーモジュール取付フレーム及び該複数のソーラーモジュール取付フレームにより保持される各ソーラーモジュールが屋根に取付けられる様子が示されている斜視図である。
【図５】本考案のソーラーモジュール取付フレームと共に屋根に取付けられる屋根材の構成が示されている斜視図である。
【図６】本考案のソーラーモジュール取付フレーム及び該ソーラーモジュール取付フレームにより保持されるソーラーモジュールの構成が示されている分解図である。
【図７】本考案のソーラーモジュール取付フレームの構成が示されている一部分解図である。
【図８】本考案のソーラーモジュール取付フレームでソーラーモジュールを保持する様子が示されている斜視図である。
【図９】本考案のソーラーモジュール取付フレームでソーラーモジュールのみが示されている斜視図である。
【図１０】本考案のソーラーモジュール取付フレーム及び該ソーラーモジュール取付フレームにより保持されるソーラーモジュールが屋根に取付けられる様子が示されている断面図である。
【図１１】本考案のソーラーモジュール取付フレーム及び該ソーラーモジュール取付フレームと組み合わせられる屋根材との接続関係が示されている一部拡大斜視図である。
【図１２】本考案のソーラーモジュール取付フレームが屋根に取付けられる様子が示されている拡大斜視図である。
【図１３】上枠の構成及び上枠と第１の縦枠との接続関係が示される一部拡大断面図である。
【図１４】下枠が取り外される様子が示される斜視図である。
【図１５】該ソーラーモジュール取付フレームからソーラーモジュールが取り外される様子が示される斜視図である。
【考案を実施するための形態】
【００１５】
以下では各図面を参照しながら、本考案のソーラーモジュール取付フレームの好ましい実施形態について詳しく説明する。
【００１６】
図３は該ソーラーモジュール取付フレーム４及び該ソーラーモジュール取付フレーム４と組み合わせられる屋根材５が示されている分解図であり、図４は複数のソーラーモジュール取付フレーム４及び該複数のソーラーモジュール取付フレーム４により保持される各ソーラーモジュールが屋根に取付けられる様子が示されている斜視図であり、図５は本考案のソーラーモジュール取付フレーム４と共に屋根に取付けられる屋根材５の構成が示されている斜視図であり、図６は本考案のソーラーモジュール取付フレーム４及び該ソーラーモジュール取付フレーム４により保持されるソーラーモジュール７の構成が示されている分解図であり、図７は本考案のソーラーモジュール取付フレーム４の構成が示されている一部分解図であり、図８は本考案のソーラーモジュール取付フレーム４でソーラーモジュール７を保持する様子が示されている斜視図であり、図９は本考案のソーラーモジュール取付フレーム４でソーラーモジュール７の裏面が示されている斜視図であり、図１０は本考案のソーラーモジュール取付フレーム４及び該ソーラーモジュール取付フレーム４により保持されるソーラーモジュール７が屋根８に取付けられる様子が示されている断面図であり、図１１は該ソーラーモジュール取付フレーム４及び該ソーラーモジュール取付フレーム４と組み合わせられる屋根材との接続関係が示されている一部拡大斜視図であり、図１２は本考案のソーラーモジュール取付フレーム４が屋根８に取付けられる様子が示されている拡大斜視図である。
【００１７】
図３、図４、図５、図１２に示されるように、本実施形態のソーラーモジュール取付フレーム４は、図５に示される屋根材５が複数用いられる屋根構造に用いられるものであり、屋根材５は、屋根瓦本体５１と、屋根瓦本体５１の桁行方向（図５における左上−右下方向）の一端縁（図５における左上側の端縁）に形成されている取付け板部５２と、を有すると共に、屋根瓦本体５１の上端縁（図５における右上側の端縁）に前記一端縁の反対側にある他端縁（図５における右下側の端縁）側へ湾曲する係止フック５３が取付け板部５２と所定の間隔Ｌを空けて突出するように形成され、取付け板部５２に上方に向かって開口する排水溝５４と、前記一端縁側に向かって開口する係止溝５２１と、が形成されている。
【００１８】
このように構成される屋根材５は、図４に示されるように、取付け板部５２によって複数の屋根材５が桁行方向に沿って互いに組み合わせられて一列をなし、且つ該一列の複数の屋根材５がそれぞれ係止フック５３で上側にある他の一列の複数の屋根材５がそれぞれ有する取付け板部５２に形成されている係止溝５２１と嵌め合って係止することにより互いに結合された屋根構造を構成する。
【００１９】
本実施形態のソーラーモジュール取付フレーム４は、図３及び図１２に示されるように、上記の屋根構造における桁行方向に沿って連続する複数枚の屋根材５を置換えることによって組み込まれると共に、ソーラーモジュールを支持するものである。
【００２０】
以下では図３〜図１１を用いて、本実施形態のソーラーモジュール取付フレーム４の構成について詳しく説明する。
【００２１】
図示のように、本実施形態のソーラーモジュール取付フレーム４は、桁行方向に沿って、屋根材５の桁行方向における幅の２倍以上の整数倍（この実施形態では３倍）に延伸する上枠４１と、上枠４１の前記一端縁側の端部から上枠４１と直交するように延伸する第１の縦枠４２と、第１の縦枠４２から屋根材５の桁行方向における幅の整数倍の間隔を空けて、第１の縦枠４２と平行となるように上枠４１から延伸する少なくとも１つ（この実施形態では２つ）の第２の縦枠４４と、上枠４１の一端縁側の反対側にある端部（図中の右下の端部）から上枠４１と直交するように延伸する第３の縦枠４３と、桁行方向に沿って、上枠４１と略一致する長さに延伸し、第１の縦枠４２と第２の縦枠４４と第３の縦枠４３とがそれぞれ延伸する先端において取外すことができるように取り付けられている下枠４５と、を備え、図８に示されているように、ソーラーモジュール７を上枠４１と第１の縦枠４２と第３の縦枠４３と下枠４５との間に保持することができる構成になっている。
【００２２】
また、上枠４１の上端縁（図中の右上側の端縁）には、一端縁側（図中の左上）の端部から所定の間隔Ｌを空けて突出する第１の固定フック４１１と、第１の固定フック４１１との間に屋根材５の桁行方向における幅に該当する距離をあけて一連に並べられている第２の固定フック４１２と、が配置され、そして第１の縦枠４２及び第２の縦枠４４には、屋根材５が有する係止フック５３とそれぞれ嵌め合うことができる第１の係止エリア４２２、第２の係止エリア４４１がそれぞれ更に形成されている。
【００２３】
ここで、第１の固定フック４１１及び第２の固定フック４１２は、屋根材５の係止溝５２１と嵌め合うことができるように、屋根材５の係止フック５３と一致する寸法を有するように形成され、そして第１の縦枠４２及び第２の縦枠４４にそれぞれ形成される第１の係止エリア４２２及び第２の係止エリア４４１は、屋根材５の係止フック５３または第１の固定フック４１１、第２の固定フック４１２と嵌め合って係止することができるように構成されている。
【００２４】
また、第１の縦枠４２は桁行方向において前記一端縁側にある他の屋根材５と接続する構成を有し、そして第３の縦枠４３には桁行方向において前記他端縁側にある他の屋根材５と接続する構成を有しているが、図中では省略されている。
【００２５】
この構成により、図１０、図１１に示されるように、第１の縦枠４２及び第２の縦枠４４にそれぞれ形成される第１の係止エリア４２２及び第２の係止エリア４４１は、下の列にある屋根材５が有する係止フック５３によって係止されると共に、第１の縦枠４２及び第３の縦枠４３がそれぞれ桁行方向において一端縁側及び他端縁側にある他の屋根材５と接続し、且つ上枠４１に形成されている第１の固定フック４１１及び第２の固定フック４１２で上の列にある屋根材５が有する取付け板部５２に形成される係止溝５２１と嵌め合って係止するように、複数の屋根材５により構成される屋根構造に組み込まれることができると共に、ソーラーモジュール７を上枠４１と第１の縦枠４２と第３の縦枠４３と下枠４５との間に保持することができる。
【００２６】
更に、図３に示されているように、下枠４５は、下枠４５を挿通して第１の縦枠４２が延伸する先端に形成される第１のねじ孔４２５にねじ込まれる第１の固定ネジ４５１と、下枠４５を挿通して各第２の縦枠４４がそれぞれ延伸する先端に形成される第２のねじ孔４４２にねじ込まれる第２の固定ネジ４５２と、下枠４５を挿通して第３の縦枠４３が延伸する先端に形成される第３のねじ孔４３２にねじ込まれる第３の固定ネジ４５３と、によって第１の縦枠４２、第２の縦枠４４、及び第３の縦枠４３に取外すことができるように取り付けられている。
【００２７】
上枠４１は、図６に示されるように、表面と裏面とを有するように板状に形成された上枠本体４１０と、上枠本体４１０の桁行方向の両端からそれぞれ伸び出すように形成される接続部４１４と、上枠本体４１０の下枠４５に臨む下端縁において下枠４５に向かって開口するように形成されている第１の収容溝４１３と、を有しており、第１の固定フック４１１及び各第２の固定フック４１２は、上枠本体４１０の前記下端縁の反対側にある上端縁において前記表面側へ突出するように配置されている。
【００２８】
第１の縦枠４２の第３の縦枠４３に臨む端縁には、第３の縦枠４３に向かって開口し、上枠４１の接続部４１４を受入れることができる第２の収容溝４２１が形成されており、第３の縦枠４３の第１の縦枠４２に臨む端縁には、第１の縦枠４２に向かって開口し、上枠４１の接続部４１４を受入れることができる第３の収容溝４３１が形成されている。下枠４５の上枠４１に臨む端縁には、上枠４１に向かって開口する第４の収容溝４５４が形成されている。
【００２９】
この上枠４１の上枠本体４１０に形成されている第１の収容溝４１３と、第１の縦枠４２に形成されている第２の収容溝４２１と、第３の縦枠４３に形成されている第３の収容溝４３１と、下枠４５に形成されている第４の収容溝４５４と、が形成されることにより、第１の縦枠４２に形成されている第２の収容溝４２１及び第３の縦枠４３に形成されている第３の収容溝４３１がそれぞれ上枠本体４１０に形成される接続部４１４を受入れることによって、上枠４１に取り付けられていると共に、第１の収容溝４１３と第２の収容溝４２１と第３の収容溝４３１と第４の収容溝４５４とでそれぞれソーラーモジュール７の四辺の周縁を受入れてソーラーモジュール７を保持するようになっている。
【００３０】
また、図１２に示されるように、第１の縦枠４２及び第２の縦枠４４にそれぞれ形成される第１の係止エリア４２２及び第２の係止エリア４４１は、下の列に配置される他の取付フレームの上枠４１が有する第１の固定フック４１１または第２の固定フック４１２によって係止されると共に、第１の縦枠４２及び第３の縦枠４３がそれぞれ桁行方向において一端縁側及び他端縁側にある他の取付フレームの第１の縦枠４２または第３の縦枠４３と接続し、且つ上枠４１に形成されている第１の固定フック４１１と第２の固定フック４１２とで上の列にある他の取付フレームの第１の縦枠４２及び第２の縦枠４４にそれぞれ形成される第１の係止エリア４２２と第２の係止エリア４４１と嵌め合うことによって、他の取付フレームと共に複数の屋根材５により構成される屋根構造に組み込まれることができる。
【００３１】
更にまた、上記のように、この実施形態において、上枠４１及び下枠４５の長さは屋根材５の桁行方向における幅の３倍に延伸し、第１の縦枠４２から屋根材５の桁行方向における幅の整数倍の間隔を空けて、第１の縦枠４２と平行となるように上枠４１から延伸する２本の第２の縦枠４４を有しているが、これは上記の屋根構造において桁行方向に沿って連続する３枚の屋根材５を置換えるための構成であり、本考案はこれに限らず、例えば上枠４１及び下枠４５の長さを屋根材５の桁行方向における幅の５倍にすると共に、４本の第２の縦枠４４を有するように構成することにより、桁行方向に沿って連続する５枚の屋根材５を置換える構成にすることもできる。従って、本願考案に対応するソーラーモジュール７の寸法についても特に制限がなく、四角形で上枠４１と第１の縦枠４２と第３の縦枠４３と下枠４５との間に収めることができる寸法であれば、本願考案のソーラーモジュール取付フレーム４に適用することができる。
【００３２】
更にまた、この実施形態において、下枠４５は一本の棒状体になっているが、本願考案はこれに限らず、第１の縦枠４２と第２の縦枠４４と第３の縦枠４３とがそれぞれ延伸する先端から下枠４５を取り外すことができる構成であれば、全長が上枠４１の長さに対応する複数本の棒状体で下枠４５を構成することも可能である。
【００３３】
図１３は上枠４１の構成及び上枠４１と第１の縦枠４２との接続関係が示される一部拡大断面図であり、図１４は下枠が取り外される様子が示される斜視図であり、図１５は該ソーラーモジュール取付フレーム４からソーラーモジュールが取り外される様子が示される斜視図である。
【００３４】
図３及び図１３に示されているように、第１の縦枠４２には前記一端縁側（図３における左上側／図１３における右側）へ突出する延伸板４２３が更に形成され、延伸板４２３の上面には、第１の縦枠４２と平行となるように延伸する排水溝４２４が形成されている。また、この実施形態において、屋根材５が有する係止フック５３または、第１の固定フック４１１、第２の固定フック４１２と嵌め合うことができる第１の係止エリア４２２は、延伸板４２３が突出する端縁に形成されている。一方、この実施形態において、第２の縦枠４４が有する第２の係止エリア４４１は凹陥した形状に形成されているが、第１の縦枠４２が有する第１の係止エリア４２２は延伸板４２３が突出する端縁に画成されている。
【００３５】
以上の構成により、図１４及び図１５に示されるように、下枠４５は第１の縦枠４２と第２の縦枠４４と第３の縦枠４３とがそれぞれ延伸する先端から取り外すことができるように構成されているので、図１４に示されるように下枠４５を取り外せば、上枠４１と第１の縦枠４２と第３の縦枠４３と下枠４５との間に保持されているソーラーモジュール７を図１５に示されるように、取り替えることができる。
【００３６】
上記は本考案の好ましい実施形態であるが、本考案はこの実施形態の構成に制限されず、実用新案登録請求の範囲内で様々な変更を施すことができる。例えば上記のように、上枠４１及び下枠４５の長さを変更したり、複数のソーラーモジュール７を収容したり、または第１の係止エリア４２２を第２の係止エリア４４１と同じように凹陥する形状に形成したりするなどが挙げられる。
【産業上の利用可能性】
【００３７】
上記構成によれば、本考案のソーラーモジュール取付フレーム４は、桁行方向に沿って、屋根材５の桁行方向における幅の２倍以上の整数倍に延伸する上枠４１と、上枠４１の一端縁側の端部から上枠４１と直交するように延伸する第１の縦枠４２と、第１の縦枠４２から屋根材５の桁行方向における幅の整数倍の間隔を空けて、第１の縦枠４２と平行となるように上枠４１から延伸する少なくとも１つの第２の縦枠４４と、桁行方向に沿って、上枠４１と略一致する長さに延伸し、第１の縦枠４２と第２の縦枠４４とがそれぞれ延伸する先端において取外すことができるように取り付けられている下枠４５と、を用いて、ソーラーモジュール７を上枠４１と第１の縦枠４２と下枠４５との間に保持することができるので、下枠４５を取り外せば上枠４１と第１の縦枠４２と下枠４５との間に保持されるソーラーモジュール７を任意に取り出すことができるので、取付フレーム全体の取外しや余分なソーラーモジュール７の取外しを行う必要がなく、ソーラーモジュール７の取替えに従来よりも便利であるソーラーモジュール取付フレームを提供することができる。
【符号の説明】
【００３８】
４  ソーラーモジュール取付フレーム
４１  上枠
４１０  上枠本体
４１１  第１の固定フック
４１２  第２の固定フック
４１３  第１の収容溝
４１４  接続部
４２  第１の縦枠
４２１  第２の収容溝
４２２  第１の係止エリア
４２３  延伸板
４２４  排水溝
４２５  第１のねじ孔
４３  第３の縦枠
４３１  第３の収容溝
４３２  第３のねじ孔
４４  第２の縦枠
４４１  第２の係止エリア
４４２  第２のねじ孔
４５  下枠
４５１  第１の固定ネジ
４５２  第２の固定ネジ
４５３  第３の固定ネジ
４５４  第４の収容溝
５  屋根材
５１  屋根瓦本体
５２  取付け板部
５２１  係止溝
５３  係止フック
７  ソーラーモジュール
【図１】
0003191686.tif 000003
【図２】
0003191686.tif 000004
【図３】
0003191686.tif 000005
【図４】
0003191686.tif 000006
【図５】
0003191686.tif 000007
【図６】
0003191686.tif 000008
【図７】
0003191686.tif 000009
【図８】
0003191686.tif 000010
【図９】
0003191686.tif 000011
【図１０】
0003191686.tif 000012
【図１１】
0003191686.tif 000013
【図１２】
0003191686.tif 000014
【図１３】
0003191686.tif 000015
【図１４】
0003191686.tif 000016
【図１５】
0003191686.tif 000017